【事件の表示】
　特許第２９９２３２０号「画像形成装置」の請求項１に係る特許に対する特許異議の申立てについて、次のとおり決定する。
【結　論】
　訂正を認める。
　特許第２９９２３２０号の請求項１に係る特許を維持する。
【理　由】
１．手続の経緯
　特許第２９９２３２０号の請求項１ないし３に係る発明は、平成２年９月１８日に出願され、平成１１年１０月１５日に設定登録された後、その請求項１に係る特許について、異議申立人山田将之より特許異議の申立てがなされ、取消の理由が通知され、その指定期間内である平成１２年１１月６日に訂正請求がなされた後、訂正拒絶理由が通知され、その指定期間内である平成１２年１２月１４日に手続補正書が提出されたものである。
　
２．訂正の適否についての判断
（１）訂正請求に対する補正の適否
　補正の内容は、訂正請求書の訂正の理由及び訂正の要旨の欄の記載を、訂正明細書の記載事項と合致させると共に、特許請求の範囲の不明瞭な記載を明瞭にすべく補正するものであり、当該訂正請求に対する補正は、訂正請求の要旨を変更するものでなく、特許法第１２０条の４第３項において準用する同法第１３１条第２項の規定に適合する。
（２）訂正の趣旨・内容
　特許権者が求めている訂正の趣旨は、明細書を１２年１２月１４日に提出された手続補正書に添付された全文訂正明細書のとおり訂正することであり、その内容は以下のａ〜ｅのとおりである。
訂正事項ａ：
　特許請求の範囲請求項１の「・・・低速に切り換え駆動されることを特徴とする画像形成装置。」を「・・・低速に切り換え駆動されるとともに、単色モード時には前記中間転写体が高速度で駆動され、多色モード時には潜像担持体より中間転写体への多色顕像の転写終了後に中間転写体が高速度より低速度に切換駆動され、少なくとも定着終了後には高速度に切換えられ、前記潜像担持体は単色、多色モードのいずれの場合も常に高速度駆動されることを特徴とする画像形成装置。」に訂正する。
訂正事項ｂ：
　特許請求の範囲請求項２を削除する。
訂正事項ｃ：
　請求項２の削除に伴い、旧請求項３を請求項２に繰り上げるとともに、引用する請求項を２から１に訂正する。
訂正事項ｄ：　
　明細書第６頁第５行〜第７頁第１４行（特許掲載公報第４欄第４〜２１行）の「本発明は……提案する」を、「本発明は、上記の課題を、潜像担持体上に形成された静電潜像を複数の色の現像剤を収容する現像装置により現像して顕像を形成し、潜像担持体の顕像が中間転写体に転写され、中間転写体に所定の複数色の顕像の転写終了後、中間転写体より転写材に転写され、転写後の転写材を定着する画像形成装置において、中間転写体の速度が高速度と低速度とに切換え可能であり、当該中間転写体は前記潜像担持体から所定の複数色の転写動作完了前は高速度で駆動されており、前記潜像担持体から所定の複数色の転写動作完了後は低速に切り換え駆動されるとともに、単色モード時には前記中間転写体が高速度で駆動され、多色モ一ド時には潜像担持体より中間転写体への多色顕像の転写終了後に中間転写体が高速度より低速度に切換駆動され、少なくとも定着終了後には高速度に切換えられ、前記潜像担持体は単色、多色モードのいずれの場合も常に高速度駆動されることを特徴とする画像形成装置により解決した」に訂正する。
訂正事項ｅ：
　明細書第３頁第２０行及び同第４頁第２行（特許掲載公報第３欄第１５行及び第１７行）の「同志」を「同士」に訂正し、明細書第４頁第８行（特許掲載公報第３欄第２２行）の「必要定着熱」を「必要定着熱量」に訂正する。
（３）訂正の目的、新規事項の有無、及び特許請求の範囲の拡張・変更の存否
　訂正事項ａは、訂正前の請求項２の構成並びに明細書第８頁第２０行〜同第９頁第１行（特許掲載公報第４欄第３７〜３８行）に記載されていた「潜像担持体は常に高速度で駆動され、」を請求項１の構成とすることにより、特許請求の範囲の請求項１に記載の中間転写体と潜像担持体の駆動速度を特定するものであるから特許請求の範囲の減縮を目的とした明細書の訂正に該当し、訂正事項ｂは、訂正前の請求項２を削除するものであるから特許請求の範囲の減縮を目的とした明細書の訂正に該当し、訂正事項ｃ、ｄは、訂正事項ａ、ｂに対応させる不明瞭な記載の釈明を目的とした明細書の訂正に該当し、訂正事項ｅは誤記の訂正を目的とした明細書の訂正に該当する。
　そして何れの訂正も新規事項の追加に該当せず、実質上特許請求の範囲を拡張し、又は変更するものではない。
（４）独立特許要件
　訂正事項ｃによる訂正前の請求項３に係る訂正は、特許異議申立のなされていない請求項についての訂正であって、減縮された請求項１を引用する訂正事項ｃは、結果として特許請求の範囲の減縮を目的としたものに該当するから、訂正明細書の請求項２に係る発明の独立特許要件について検討する。
　訂正明細書の請求項２に係る発明は、訂正明細書の特許請求の範囲の請求項２に記載されたとおりのものであって、同請求項１に係る発明の構成要件を全て含むものである。
　そして、当該請求項１に係る発明の特許は、下記５．（２）及び６．（２）に記載のように取り消すべき理由を発見しないから、同様の理由により訂正明細書の請求項２に係る発明も拒絶すべき理由を発見しない。
　したがって、訂正明細書の請求項２に係る発明は、出願の際、独立して特許を受けることができるものである。
（５）むすび
　したがって、上記訂正は、特許法第１２０条の４第３項で準用する平成６年法律第１１６号による改正前の特許法第１２６条第１項ただし書及び第２〜３項の規定に適合するので、当該訂正を認める。
　
３．特許異議の申立ての概要
　異議申立人山田将之は、下記の甲第１〜４号証を提出し、
　本件特許の請求項１に係る発明は、その出願前公知の甲第１号証に記載された発明と同一であり、仮に、同一でないしても甲第１〜３号証に記載された発明に基づいて当業者が容易に発明をすることができたものであるから、特許法第２９条第１項又は第２項の規定により特許を受けることができない旨（理由１）、
　本件特許の請求項１に係る発明は、その出願前の出願であってその後に公開された甲第４号証に記載された発明と同一であり、かつ出願人、発明者が両者間で非同一であるから、特許法第２９条の２の規定により特許を受けることができない旨（理由２）、主張している。
　甲第１号証：実開平１−１７１４７０号公報
  甲第２号証：特開平１−２６２５７４号公報
  甲第３号証：特開平２−５３０８５号公報
  甲第４号証：特開平４−６７１７４号公報
　
４．本件発明
　特許第２９９２３２０号の請求項１に係る発明（以下、「本件発明」という）は、平成１２年１２月１４日付け手続補正書により補正された訂正明細書の特許請求の範囲の請求項１に記載された次のとおりのものである。
「潜像担持体上に形成された静電潜像を複数の色の現像剤を収容する現像装置により現像して顕像を形成し、潜像担持体の顕像が中間転写体に転写され、中間転写体に所定の複数色の顕像の転写終了後、中間転写体より転写材に転写され、転写後の転写材を定着する画像形成装置において、中間転写体の速度が高速度と低速度とに切換え可能であり、当該中間転写体は前記潜像担持体から所定の複数色の転写動作完了前は高速度で駆動されており、前記潜像担持体から所定の複数色の転写動作完了後は低速に切り換え駆動されるとともに、単色モード時には前記中間転写体が高速度で駆動され、多色モード時には潜像担持体より中間転写体への多色顕像の転写終了後に中間転写体が高速度より低速度に切換駆動され、少なくとも定着終了後には高速度に切換えられ、前記潜像担持体は単色、多色モードのいずれの場合も常に高速度駆動されることを特徴とする画像形成装置。」
　
５．上記理由１の検討
（１）刊行物記載の発明
　甲第１号証である実開平１−１７１４７０号公報（以下、「刊行物１」という）には、以下の事項が図面と共に記載されている。
「感光体、中間転写体、定着装置および用紙搬送用のローラが同一の駆動源である駆動手段にて駆動され、単色複写を選択するための単色設定キーと、フルカラー複写を選択するためのフルカラー設定キーとの何れかのキーにより単色複写あるいはフルカラー複写が選択されたときに、上記の駆動手段によって駆動される感光体、中間転写体および用紙の移動速度が所定のプロセススピードに設定され、感光体に形成された静電潜像が現像装置にて現像され、得られたトナー像が中間転写体に転写され、この中間転写体のトナー像が用紙に転写され、用紙上のトナー像が定着装置により用紙に定着される電子写真装置において、……定着装置における良好な定着性を得る上での最低限必要な用紙の搬送速度に設定すると共に、少なくとも、フルカラー複写における最終現像動作以後のプロセススピード、および単色複写における現像動作以後のプロセススピードが上記の定着速度と一致するように、駆動手段を制御する制御手段とを備えていることを特徴とする電子写真装置。」（実用新案登録請求の範囲）、
「電子写真装置であるフルカラーの複写機は、……この原稿載置台１の下方には、図示しない原稿の画像に対応した静電潜像を感光体７に形成するための光学系部６が配されている。……感光体７の上方には、イエロー、マゼンタ、シアン、ブラックの色毎の現像を行う４個の現像装置１０〜１３が配設されている。また、感光体７の周りには感光体７を帯電させる帯電チャージャ１４、および感光体７の表面に残留するトナーを除去するクリーニング装置１５等の装置が配されている。……上記の第２ローラ９の外周に巻回されている部位の感光体７には、３個のローラ１６・１７・１８にて回転駆動されるベルト状の中間転写体１９が当接されている。感光体７に当接される部位の中間転写体１９の裏面側には、感光体７上の各トナー像を順次中間転写体１９に転写するための転写チャージャ２０が配されている。また、中間転写体１９の下方には、中間転写体１９に転写されたトナー像を用紙に転写する転写チャージャ２１、……が配されている。そして、感光体７上に形成された各色のトナー像が転写チャージャ２０により中間転写体１９上に重ね合わされて転写され、転写されたトナー像は、転写チャージャ２１により、……用紙に転写され、この用紙は剥離チャージャ２２により中間転写体１９から剥離されるようになっている。」（第７頁第１８行目〜第１０頁第６行目）、
「また、中間転写体１９の排紙側には、用紙を搬送する搬送ベルト３４が設けられ、この搬送ベルト３４の搬送方向側にはヒートローラ３５ａによって用紙上のトナー像を用紙に定着させる定着装置３５が設けられている。」（第１１頁第１２行目〜第１６行目）、
「また、複写機は、……感光体７、中間転写体１９および用紙の移動速度であるプロセススピードを制御する制御手段４７を有している。」（第１１頁第１９行目〜第１２頁第６行目）、
「一方、フルカラー設定キー４０がＯＮされていれば、感光体７に形成されている静電潜像に対して現像を行う（Ｓ６）。このときには、３色の成分光に対応する３個の静電潜像に対して行うべき合計３回の現像のうち、２回の現像が行われる。２回の現像が終了すれば（Ｓ７）、感光体７に形成された２個のトナー像を中間転写体１９に重ね合わせて転写する（Ｓ８）。転写が終了すれば（Ｓ９）、上記のＳ５に移行する。……即ち、用紙が特殊紙のＯＨＰシートである場合には、定着装置３５における定着に要する時間が長くなるので、プロセススピードおよび定着速度は最低速度に設定される。……即ち、用紙が普通紙かつＡ４サイズ以上である場合、および、用紙が普通紙かつＡ４末満であると共にフルカラー複写である場合には、プロセススピードおよび定着速度は最低速度と最高速度との間の中位の速度に設定される。……用紙が普通紙かつＡ４末満であると共に単色の複写である場合には、プロセススピードおよび定着速度は最高速度に設定される。以上のように、所定の条件に応じてプロセススピードおよび定着速度が設定されると、その速度が感光体７と中間転写体１９と用紙との移動速度、および定着装置３５における用紙の搬送速度として適用される。　その後、……フルカラー複写では最終の現像を行う（Ｓ１８）。現像が終了すれば（Ｓ１９）、感光体７上のトナー像を中間転写体１９へ転写する（Ｓ２０）。この転写が終了すれば（Ｓ２１）、レジストローラ３１を回転させて中間転写体１９へ用紙を送り、この用紙に中間転写体１９上のトナー像を転写する（Ｓ２２）。その後、用紙を搬送ベルト３４によって定着装置３５に搬送し、定着装置３５にて定着を行う（Ｓ２３）。」（第１４頁第７行目〜第１７頁第１０行目）。
　甲第２号証である特開平１−２６２５７４号公報（以下、「刊行物２」という）には、以下の事項が図面と共に記載されている。
「所定の線速度で搬送される感光体の表面上に各色トナー像を形成するとともに、これらの各色トナー像を、搬送系により所定の線速度で搬送される記録媒体上に多重転写させ、転写後の記録媒体を所定の線速度で搬送させながら定着動作を実行させるようにしたカラー画像形成方法において、上記定着工程における記録媒体の搬送速度を通常の画像形成時より低下させるようにした高画質定着モードを備えてなり、この高画質定着モードにおいては、上記感光体の搬送速度および搬送系による記録媒体の搬送速度のそれぞれを、上記定着工程における記録媒体の搬送速度と同期されるように低下させるとともに、上記高画質定着モードを、最終トナー像の転写動作が完了された後に実行させるようにしたことを特徴とする画像形成方法。」（特許請求の範囲）、
「レーザー書込みユニット１から出射される光は、図示を省略した画像読取り装置から送られてきた各色ごとの画像情報によって変調され、帯電チャージャー２により初期帯電されている感光体ドラム３の表面に露光される。これにより上記感光体ドラム３の表面に各色ごとの静電潜像が形成され、その各静電潜像が各色現像装置４，５，６，７により現像され各色トナー可視像が得られる。上記各色現像装置４，５，６，７は、それぞれイエロー現像装置、マゼンタ現像装置、シアン現像装置、ブラック現像装置である。これらの各色現像装置により得られたトナー像は、転写ドラム８に巻き付けられクランパ９により保持されている記録媒体としての記録用紙がわに転写チャージャー１０のコロナ放電作用により多重転写される。上記記録用紙は．給紙カセット１１、呼出しコロ１２および給紙コロ１３などを備える給紙搬送系により上記転写ドラム８の転写部に向かって送り出される。各色トナー可視像の多重転写が行なわれた記録用紙は、分離チャージャー１４および分離爪１５により転写ドラム８から剥離された後、搬送ベルト１６により定着装置１７に送り込まれる。定着装置１７においては、加熱ローラー１７ａおよび加圧ローラー１７ｂによる加熱・加圧工程によって記録用紙上のトナー像の定着動作が行なわれる。」（第２頁右下欄第５行目〜第３頁左上欄第１０行目）、
「このような実施例における画像形成方法では、感光体ドラム３の駆動モーターの速度切り換え動作が、転写工程が終了されたつぎにおける転写ドラム８の回転時に行なわれる。すなわち定着速度を低下させる高画質定着モードが、最終トナー像の転写動作が完了された後に実行され、定着工程が転写工程などの他の画像形成装置工程と切り離して行なわれる。したがって静電潜像形成工程、現像工程、転写工程などの線速度の影響を受け易い各工程は、通常の線速度で実行されることとなる。また、感光体ドラム３の搬送速度および搬送系による記録用紙の搬送速度のそれぞれは、定着搬送速度と同期されるように低下され．定着工程における搬送速度が他の搬送系による搬送動作と同期されながら行なわれる。したがって記録用紙はいずれの部位においても同一の搬送速度で移動されることとなり、記録用紙は従来のように異なる搬送速度で移動されることがなくなる。その結果、記録用紙は低速の定着工程においても良好に搬送されていき、記録用紙にたるみが生じたりトナー像にこすれが生じることはない。」（第５頁右下欄第１６行目〜第６頁左上欄第１６行目）。
　甲第３号証である特開平２−５３０８５号公報（以下、「刊行物３」という）には、以下の事項が図面と共に記載されている。
「同一感光体に対し原稿画像の色分解毎に各色に対応した静電潜像を形成する静電潜像形成行程と、上記各色に対応した現像剤を用いて上記色分解毎に感光体上に形成された潜像を顕像化する現像行程と、上記色分解毎に顕像化された画像を所定の転写位置に搬送された転写材に転写する転写行程とを順次繰返し、最終色転写終了後、上記転写材を定着装置に搬送し、転写材に転写された画像を定着して原稿画像に対応したカラー画像を得る画像形成装置において、上記転写材を所定の転写位置及び定着位置まで搬送する転写材搬送手段と、該転写材搬送手段の搬送速度を切換える搬送速度切換手段と、上記定着位置に設けられた定着ローラの回転速度を切換える手段、及びその定着ローラによる定着速度を転写材の種類や厚さ若しくは現像・転写回数に応じて選択決定する手段を有し、最終色転写終了後に、上記転写材搬送手段による転写材の搬送速度と定着ローラの速度とを上記選択決定手段によって選択決定された定着速度に応じて切換え、転写材の種類や厚さ若しくは現像・転写回数に応じた搬送・定着制御を行なうことを特徴とする画像形成装置。」（特許請求の範囲）、
「すなわち、転写ドラムによって転写紙を転写位置に搬送する複写機等では、ＰＣドラムと転写ドラムとは同期して一体的に回転駆動されるが、ＰＣドラムと転写ドラムの速度を定着ローラによる定着速度に合わせて切換られるように構成する。そして、特殊紙の場合には、普通紙の場合のように最終色転写後にすぐに転写ドラムから転写紙を分離するのではなく、最終色転写後に、先ず、ＰＣドラムと転写ドラムの速度を低速に切換えられた定着ローラによる定着速度に合わせて切換え、この後、さらに１回転させて定着速度と同速で転写紙を転写ドラムから分離し、定着器へ導くように構成する。このような、構成にすれば、転写紙を転写ドラムからの分離位置から定着口一ラまでの距離が転写紙長さより短くても、転写紙にたるみ等が発生することがなくなり、良好な複写画像が得られる。」（第８頁左下欄第１５行目〜同頁右下欄第１１行目）。
（２）対比・判断
　本件発明と刊行物１を対比すると、刊行物１の上記記載からは、
「感光体上に形成された各色毎の静電潜像を対応する色のトナーを有する複数の現像装置により順次現像して各色のトナー像を形成し、感光体上に形成された各色のトナー像が中間転写体上に重ね合わされて転写され、この中間転写体に転写されたトナー像が用紙に転写され、用紙上のトナー像が定着装置により用紙に定着される電子写真装置において、感光体、中間転写体、および用紙の移動速度であるプロセススピードが最高速度、最低速度と最高速度との間の中位の速度、最低速度に設定可能であり、用紙が普通紙かつＡ４末満であると共に単色の複写である場合には、少なくとも、現像動作以後のプロセススピードは最高速度に設定されるとともに、用紙が普通紙かつＡ４末満であると共にフルカラー複写である場合には、少なくとも、最終現像動作以後のプロセススピードは最低速度と最高速度との間の中位の速度に設定される電子写真装置」が把握されると共に、
　刊行物１における感光体、静電潜像、現像装置、トナー像、中間転写体、用紙、電子写真装置は、各々本件発明における潜像担持体、静電潜像、現像装置、顕像、中間転写体、転写材、画像形成装置に対応することが明らかであり、
　しかも、刊行物１に記載の上記プロセススピードは中間転写体の速度であり、中間転写体の速度は高速度と低速度とに切換え可能である構成として理解されるから、
　これらを総合すると、表現は相違するが、両者は、
「潜像担持体上に形成された静電潜像を複数の色の現像剤を収容する現像装置により現像して顕像を形成し、潜像担持体の顕像が中間転写体に転写され、中間転写体に所定の複数色の顕像の転写終了後、中間転写体より転写材に転写され、転写後の転写材を定着する画像形成装置において、中間転写体の速度が高速度と低速度とに切換え可能である画像形成装置」の点で一致しており、以下の点で相違している。
（相違点）
　本件発明は「中間転写体は前記潜像担持体から所定の複数色の転写動作完了前は高速度で駆動されており、前記潜像担持体から所定の複数色の転写動作完了後は低速に切り換え駆動されるとともに、単色モード時には前記中間転写体が高速度で駆動され、多色モード時には潜像担持体より中間転写体への多色顕像の転写終了後に中間転写体が高速度より低速度に切換駆動され、少なくとも定着終了後には高速度に切換えられ、前記潜像担持体は単色、多色モードのいずれの場合も常に高速度駆動される」点を構成としているに対し、
　刊行物１には、プロセススピードである中間転写体の速度が、単色モード時においては、少なくとも、現像動作以後は高速度で駆動され、多色モード時においては、少なくとも、最終現像動作以後は低速度で駆動される技術が開示されているが、感光体から中間転写体への転写動作完了をタイミングとして中間転写体の速度を切換える技術、感光体を単色、多色モードのいずれの場合も常に高速度駆動する技術は開示されておらず、現像動作以前及び定着終了後の中間転写体の速度も明示されていない。
　してみると、本件発明が刊行物１に記載された発明と同一であるとは認められない。
　そこで、上記相違点について更に検討するに、
　刊行物２，３には、転写動作完了をタイミングとして転写材の搬送速度を切換える技術が開示されているが、該転写動作は、定着装置に搬送される転写材への転写動作であって、中間転写体から転写材への転写動作を示唆するとしても、潜像担持体から中間転写体への転写動作を示唆するものではなく、しかも、刊行物２，３に開示の技術は、潜像担持体の速度を定着工程の速度に同期させるものであって、潜像担持体を単色、多色モードのいずれの場合も常に高速度駆動する技術を開示するものでもない。
　してみると、刊行物２，３に開示の技術は、上記相違点の構成とは異なるものであるから、刊行物１に刊行物２，３を適用して本件発明の構成を想到することが容易であるとは認められない。
　
６．上記理由２の検討
（１）先願明細書記載の発明
　甲第４号証である特開平４−６７１７４号公報は、本件特許の出願日前の出願であって、その出願後に出願公開された特願平２−１８００２６号の願書に最初に添付された明細書又は図面（以下、「先願明細書」という）の公開公報であって、以下の事項が図面と共に記載されている。
「１）無端移動する感光体と、前記感光体を帯電させる帯電手段と、前記感光体上に色毎の静電潜像を形成させる潜像形成手段と、前記静電潜像を多色のトナーで現像する複数個の現像手段と、前記現像手段による多色のトナー像が順次重転写される無端移動する中間転写体と、前記現像手段による多色のトナー像を中間転写体に順次転写する中間転写手段と、前記中間転写体上に色重ねされたトナー像を一括して転写シートに転写する転写手段と、前記転写シートに転写されたトナー像を定着させる定着手段とを有し、前記転写シートの先端が前記転写手段に到達したとき中間転写体の重転写されたトナー像の先端も転写手段の位置に到達するように構成され、前記転写手段によりトナー像を一括転写する前に前記感光体上に現像される最終色のトナー像が中間転写体に転写されて前記転写シート１頁相当分の全色トナー像が完全に前記中間転写体に転写された後前記中間転写体の周速を前記定着器の周速と略同速度となるよう減速させる制御手段を設けたことを特徴とする電子写真装置。
　２）上記制御手段が、フルカラー印字モードと単色印字モードを判断する手段を有し、単色印字モードと判断したときは制御手段を作動させず中間転写体を減速しないで中間転写体のトナー像を転写シートに転写させる請求項１記載の電子写真装置」（特許請求の範囲の欄）、
「以下に本発明の一実施例における電子写真装置に関して図を用いて詳細に説明する。第１図は本発明による電子写真装置の一例を示す概略図であり、同図において、（１）は無端感光体ベルトであり、２個のベルトプーリー（２）および（３）の間に張架支持されており、無端感光体ベルト（１）の周囲には、その回転方向の順に矢印で示すよう、帯電チャージャ（４）、光学部（５）、イエロー，マゼンタ，シアン，ブラックを順に並べた各現像器（６Ｙ），（６Ｍ），（６Ｃ），（６Ｂｋ）、クリーニング装置（７）、除電ランプ（８）が設られている。また、マイラーフィルム等の誘電体フィルムよりなる無端中間転写体ベルト（９）は２個の搬送用ローラ（１０），（１１）間に張架支持されており、無端感光体ベルト（１）から無端中間転写体ベルト（９）へのトナー像の転写を行うための中間転写器（１２）が無端中間転写体ベルト（９）を介して無端感光体ベルト（１）と対向して設けられている。無端感光体ベルト（１）と無端中間転写体ベルト（９）の周速が等しくなるようベルトプーリー（２）および（１０）は駆動させられる。第２図は、中間転写体ユニットの制御装置（１４）による制御動作の一例を示すフローチャートであり、その動作に基づくタイミングチャートを第３図に示す。光学部（５）から青、緑、赤の３色のレーザ光を照射することにより、無端感光体ベルト（１）上に色毎の静電潜像を形成し、３種の潜像は現像器（６Ｂｋ），（６Ｃ），（６Ｍ），（６Ｙ）により、それぞれブラック、シアン、マゼンタ、イエローのトナーで順に現像され、中間転写器（１２）により、無端中間転写体ベルト（９）に色重ねされる。無端中間転写体ベルト（９）に色重ねされた４種のトナー像は、矢印で示す回転方向に搬送される。無端中間転写体ベルト（９）を介してベルトプーリー（１０）と対向する位置に設けられた転写器（１３）の位置に色重ねされたトナー像の先端が到達した際、同時に最終色の現像、中間転写工程が行なわれており、この際、中間転写体ユニットの制御装置（１４）により転写器（１３）を作動させず、転写工程に入ることなく無端中間転写体ベルト（９）上にトナー像を保持した状態で、無端中間転写体ベルト（９）を１回転空回りさせる。そして、最後に無端中間転写体ベルト（９）上に転写されるイエロートナーが１頁相当分完全に転写されてしまった後に、制御手段（１４）により無端中間転写体ベルト（９）の周速を定着器（１７）の周速に合わせて減速させ、無端中間転写体ベルト（９）と定着器（１７）の周速を略同速度にし、無端中間転写体ベルト（９）と転写器（１３）との間に給紙カセット（１５）より給紙された転写シート（１６）を搬送させ、転写器（１３）と定着器（１７）で順に転写、定着を行ない、フルカラー画像を出力する。」（実施例の欄）。
　そして、先願明細書の上記実施例の記載からは、無端中間転写体ベルトは、無端感光体ベルト上で順次現像された４色のトナー像が全て無端中間転写体ベルトに転写された後に減速される構成として把握されるから、
　これらを総合すると、先願明細書には、
「無端感光体ベルト上に形成された色毎の静電潜像を、複数色の現像器により現像して複数色のトナー像を形成し、無端感光体ベルト上に形成された複数色のトナー像が無端中間転写体ベルトに順次転写され、無端中間転写体ベルトに対する複数色のトナー像の転写が全て終了した後、複数色のトナー像が無端中間転写体ベルトより転写シートに転写され、転写後の転写シートを定着する電子写真装置において、無端中間転写体ベルトの周速は制御手段により減速されるものであり、当該無端中間転写体ベルトは、前記無端感光体ベルトから複数色のトナー像の転写が全て終了するまでは減速しないで駆動されており、前記無端感光体ベルトから複数色のトナー像の転写が全て終了すると制御手段により減速して駆動されるとともに、上記制御手段が、フルカラー印字モードと単色印字モードを判断する手段を有し、単色印字モードと判断したときは制御手段を作動させず無端中間転写体ベルトが減速しないで駆動され、フルカラー印字モードと判断したときは無端感光体ベルトより無端中間転写体ベルトへの複数色のトナー像の転写が全て終了すると制御手段により無端中間転写体ベルトが減速して駆動される電子写真装置」、
　が記載されていると認められる。
（２）対比・判断
　本件発明と先願明細書記載の発明を対比すると、
　先願明細書における無端感光体ベルト、静電潜像、現像器、トナー像、無端中間転写体ベルト、転写シート、電子写真装置は、各々本件発明における潜像担持体、静電潜像、現像装置、顕像、中間転写体、転写材、画像形成装置に相当することが明らかであり、
　加えて、先願明細書における「無端中間転写体ベルトの周速は制御手段により減速されるものであり」の構成は、無端中間転写体ベルトの周速が、制御手段により高速から低速に切換え可能である構成として把握されるから、先願明細書における「減速しないで駆動され」の構成と「制御手段により減速して駆動される」の構成は、各々本件発明における「高速度で駆動され」と「低速に切り換え駆動される」と同じ構成として把握される。
　してみると、両者は表現は相違するが、
「潜像担持体上に形成された静電潜像を複数の色の現像剤を収容する現像装置により現像して顕像を形成し、潜像担持体の顕像が中間転写体に転写され、中間転写体に所定の複数色の顕像の転写終了後、中間転写体より転写材に転写され、転写後の転写材を定着する画像形成装置において、中間転写体の速度が高速度と低速度とに切換え可能であり、当該中間転写体は前記潜像担持体から所定の複数色の転写動作完了前は高速度で駆動されており、前記潜像担持体から所定の複数色の転写動作完了後は低速に切り換え駆動されるとともに、単色モード時には前記中間転写体が高速度で駆動され、多色モード時には潜像担持体より中間転写体への多色顕像の転写終了後に中間転写体が高速度より低速度に切換駆動される画像形成装置」の点で一致している。
　しかしながら、先願明細書には、フルカラー印字モードにおいて、無端中間転写体ベルトが、少なくとも定着終了後には高速度に切換えられる構成、及び、無端感光体ベルトが単色印字モード、フルカラー印字モードいずれの場合も常に高速度駆動される構成は記載されておらず、
　しかも、無端中間転写体ベルトの速度が高速度から低速度に切換えられる電子写真装置において、無端感光体ベルトを常に高速度駆動することが、周知・慣用技術であるとも認められない。
　してみると、無端中間転写体ベルトが、少なくとも定着終了後には高速度に切換えられる構成について検討するまでもなく、本件発明が先願明細書記載の発明と同一であるとは認められない。
　
７．むすび
　以上のとおりであるから、本件請求項１に係る発明の特許は、特許異議申立ての理由及び証拠によっては取り消すことはできない。
　また、他に本件請求項１に係る発明の特許を取り消すべき理由を発見しない。
【異議決定日】
平成１２年１２月２７日（２０００．１２．２７）
【訂正の要旨】
訂正の要旨（特許第２９９２３２０号）
訂正事項ａ：
　特許請求の範囲請求項１の「・・・低速に切り換え駆動されることを特徴とする画像形成装置。」を「・・・低速に切り換え駆動されるとともに、単色モード時には前記中間転写体が高速度で駆動され、多色モード時には潜像担持体より中間転写体への多色顕像の転写終了後に中間転写体が高速度より低速度に切換駆動され、少なくとも定着終了後には高速度に切換えられ、前記潜像担持体は単色、多色モードのいずれの場合も常に高速度駆動されることを特徴とする画像形成装置。」に訂正する。
訂正事項ｂ：
　特許請求の範囲請求項２を削除する。
訂正事項ｃ：
　請求項２の削除に伴い、旧請求項３を請求項２に繰り上げるとともに、引用する請求項を２から１に訂正する。
訂正事項ｄ：
　明細書第６頁第５行〜第７頁第１４行（特許掲載公報第４欄第４〜２１行）の「本発明は……提案する」を、「本発明は、上記の課題を、潜像担持体上に形成された静電潜像を複数の色の現像剤を収容する現像装置により現像して顕像を形成し、潜像担持体の顕像が中間転写体に転写され、中間転写体に所定の複数色の顕像の転写終了後、中間転写体より転写材に転写され、転写後の転写材を定着する画像形成装置において、中間転写体の速度が高速度と低速度とに切換え可能であり、当該中間転写体は前記潜像担持体から所定の複数色の転写動作完了前は高速度で駆動されており、前記潜像担持体から所定の複数色の転写動作完了後は低速に切り換え駆動されるとともに、単色モード時には前記中間転写体が高速度で駆動され、多色モード時には潜像担持体より中間転写体への多色顕像の転写終了後に中間転写体が高速度より低速度に切換駆動され、少なくとも定着終了後には高速度に切換えられ、前記潜像担持体は単色、多色モードのいずれの場合も常に高速度駆動されることを特徴とする画像形成装置により解決した」に訂正する。
訂正事項ｅ：
　明細書第３頁第２０行及び同第４頁第２行（特許掲載公報第３欄第１５行及び第１７行）の「同志」を「同士」に訂正し、明細書第４頁第８行（特許掲載公報第３欄第２２行）の「必要定着熱」を「必要定着熱量」に訂正する。
（５４）【発明の名称】
画像形成装置
（５７）【特許請求の範囲】
（１）潜像担持体上に形成された静電潜像を複数の色の現像剤を収容する現像装置により現像して顕像を形成し、潜像担持体の顕像が中間転写体に転写され、中間転写体に所定の複数色の顕像の転写終了後、中間転写体より転写材に転写され、転写後の転写材を定着する画像形成装置において、
　中間転写体の速度が高速度と低速度とに切換え可能であり、当該中間転写体は前記潜像担持体から所定の複数色の転写動作完了前は高速度で駆動されており、前記潜像担持体から所定の複数色の転写動作完了後は低速に切り換え駆動されるとともに、
　単色モード時には前記中間転写体が高速度で駆動され、
　多色モード時には潜像担持体より中間転写体への多色顕像の転写終了後に中間転写体が高速度より低速度に切換駆動され、少なくとも定着終了後には高速度に切換えられ、
　前記潜像担持体は単色、多色モードのいずれの場合も常に高速度駆動される
ことを特徴とする画像形成装置。
（２）中間転写体に転写された顕像が転写材搬送手段により搬送される転写材に転写され、前記転写材搬送手段が単色モード用の高速度と多色モード用の低速度とに切換可能であり、単色モード時には中間転写体及び転写材搬送手段が高速度で駆動され、多色モード時には潜像担持体より中間転写体への多色顕像の転写終了後に中間転写体は高速度より低速度に切換駆動され、中間転写体より転写材への多色顕像の転写終了後に中間転写体は低速度より高速度に切換えられ、転写材搬送手段は多色時には低速度駆動されることを特徴とする請求項１に記載の画像形成装置。
【発明の詳細な説明】
〔産業上の利用分野〕
　本発明は複写機、プリンタ等の単色モードと多色モードとの切換可能な画像形成装置に関するものである。
　〔従来技術〕
　複写機においては複数の色の現像剤を収容した現像装置を設け、所望の単色又は多色画像を形成することが知られている。
　カラーＯＨＰも含め、多色プリント画像を得る場合には複数の色のトナーを重ねた状態で転写材に転写し、定着装置によりトナーを熔融混色させて彩やかな色を出すことが行なわれている。
　カラーＯＨＰ画像の場合、その用途上透過率を良くするため、及び画像形成装置表面の光沢性
（鏡面性）を上げるためにトナー同士を十分に熔融混色させて均一化する必要がある。このためには透明性のカラートナー及びトナー同士を充分に溶かす為の定着熱量が必要になる。
　白黒画像とカラー画像を形成する場合、黒トナーとカラートナーの必要定着熱の満足域が異なる。又黒トナーや他の色トナーを単独で利用する単色プリントモードと、複数のカラートナーにより重ね転写する多色プリントモードでは必要定着熱量が異なる。
　定着熱量を変える方法としては定着圧力を変えて定着ローラによるニップ時間を変える方法と、定着設定温度を変える方法と、定着速度を変える方法等がある。
　定着圧力を変える方法は圧力切換機構が必要でありコスト高になり、多色カラー用には高圧力、高トルクが要求されることになる。
　定着設定温度を切換える方法では温度切換時に所定の温度になるまで待時間が必要であり、操作性が悪くなりユーザのニーズに合わないという問題がある。
　定着速度を変える方法は上記の各方法で生じるような欠点がなく各種の提案が例えば特公昭５９−２２２２６号、特公昭６１−１７４６号、特開昭５９−１８８６７３号、実開昭５９−１９２１５８号等により行われている。
　上記の従来の提案では、単色モードと多色モードで定着速度を変えるためには装置全体の速度を可変にするため、２つ以上のプロセス速度が必要となり、プロセス条件の設定が難しく、又多色モードではプリント速度が低下するという問題があるものや、プロセス速度は一定にして、転写終了後定着速度を切換えるため、転写位置から定着装置のニップ位置までに、転写材が存在しなければならないため、転写位置と定着装置との間に転写材の長さ以上の搬送長さが必要であり、装置が大型化するという問題があったりして、未だ満足なものが得られない。
　〔発明が解決しようとする課題〕
　本発明は、上記の従来の問題点を解消し、トナーを充分熔融混色することが可能で転写位置と定着装置との間の搬送距離を転写材の長さより十分短くすることができ小型化の可能な画像形成装置を提供することを課題とする。
　〔課題を解決するための手段〕
　本発明は、上記の課題を、潜像掛持体上に形成された静電潜像を複数の色の現像剤を収容する現像装置により現像して顕像を形成し、潜像担持体の顕像が中間転写体に転写され、中間転写体に所定の複数色の顕像の転写終了後、中間転写体より転写材に転写され、転写後の転写材を定着する画像形成装置において、中間転写体の速度が高速度と低速度とに切換え可能であり、当該中間転写体は前記潜像担持体から所定の複数色の転写動作完了前は高速度で駆動されており、前記潜像担持体から所定の複数色の転写動作完了後は低速に切り換え駆動されるとともに、単色モード時には前記中間転写体が高速度で駆動され、多色モード時には潜像担持体より中間転写体への多色顕像の転写終了後に中間転写体が高速度より低速度に切換駆動され、少なくとも定着終了後には高速度に切換えられ、前記潜像担持体は単色、多色モードのいずれの場合も常に高速度駆動されることを特徴とする画像形成装置により解決した。
　〔作用〕
　本発明により、潜像担持体に形成した顕像を一旦中間転写体に転写することにより、複数の色のトナー像を中間転写体に重ね転写し、中間転写体に形成した顕像を転写材に転写し定着する方式では、潜像担持体は常に高速度で駆動され、中間転写体に潜像担持体より所定の顕像が転写される。所定の色の顕像全てが転写された後中間転写体は低速度駆動に切換えられ、同じく低速度駆動により転写材搬送手段により搬送される転写材に中間転写体から転写し、転写後の転写材を定着装置で定着する。中間転写体よりの顕像の転写が終了した後中間転写体は高速度に切換えられ、次の画像処理に対応し、転写材は引き続き低速度のまま定着を終了し、搬送手段が停止される。
　中間転写体は直接転写材を巻付けるよう構成することができる。その際中間転写体は潜像担持体よりの転写の終了後低速度に切換えられ、転写材を定着装置に低速度搬送し転写材が離れた後高速度に切換えられる。
　〔実施例〕
　本発明の詳細を図に示す実施例に基づいて説明する。
　第１図において、プリンタ１は潜像担持体２、例えば感光体ドラム２を有し、感光体ドラム２は帯電器３により帯電され、書込み装置４より画像光が投射露光され、静電潜像を形成する。静電潜像は複数の色、例えばイエロー（Ｙ）、マゼンタ（Ｍ）、シアン（Ｃ）、黒（ＢＬ）の現像剤を収容する現像装置５により所定の色の現像が行われる。感光体ドラム２は１回転毎に１色のトナー像が形成され、必要回転数回転する間に所定の複数のトナー像が形成される。一例としては色の彩やかさを考慮して黒（ＢＬ）、イエロー（Ｙ）、マゼンタ（Ｍ）、シアン（Ｃ）の順にトナー像が形成される。
　単色モードのときも、多色モードのときも、感光体ドラム２は単色モード用の高速度Ｖ１で回転駆動されて潜像形成及び現像が行われる。
　単色モードのときは、給紙カセット６よりピックアップローラ８により給紙される転写材７はレジストローラ９において感光体ドラム２の画像形成位置に対する同期をとって感光体ドラム２と同一線速である高速度、例えば１００ｍｍ／ｓｅｃで搬送され、転写チャージャ１０の作用下で感光体ドラム２の上の単色顕像、例えばトナー像が転写材７に転写される。転写後の転写材７はそのまま定着装置１１に搬送され、同一速度で定着され排出ローラ１２により排紙トレイ１３に排紙される。転写後の感光体ドラム２は除電器１４により除電され、クリーナー１５によりクリーニングされ、次の帯電器３による帯電よりの工程をくり返す。
　多色モードのときは、第２図に示すように、感光体２は単色モードと同様高速度Ｖ１で回転され、帯電器３による帯電を継続する中で、１回転毎に書込装置４による黒（ＢＬ）画像の書込み、黒トナーによる現像、次の回転における書込装置４によるイエロー（Ｙ）画像の書込み、イエロートナーによる現像、以下同様に１回転毎にマゼンタ（Ｍ）画像の書込み、マゼンタトナーによる現像、シアン（Ｃ）画像の書込み、シアントナーの現像をくり返す。最後の色としてシアン画像の書込みに際し、画像領域が経過すると帯電器３をＯＦＦし、書込みを終わり、シアントナーによる画像が終わると、感光体の回転速度は多色モード用の低速度Ｖ２に切換えられる。転写材７はレジストローラ９によりタイミングをとって給送されるが、その際搬送速度は低速度、例えば５０ｍ／ｓｅｃで給送され、感光体２の上の多色顕像が転写材７に転写チャージャ１０の作用下で転写される。転写材７が転写位置を通過すると、つまり転写が終了すると、感光体ドラム２は高速度Ｖｌに切換えられ、次の画像の形成を行う。転写後の転写材は低速度で定着装置１１により転写され排紙される。
　転写後の感光体はクリーナー１５によりクリーニングされる。
　転写材７の給紙時には第２図に示すようなタイミングで例えば給紙クラッチ、レジストクラッチがＯＮ、ＯＦＦされ、ピックアップローラ８及びレジストローラ９の回転を制御する。
　現像装置５は、感光体２に複数のトナー像が重ね現像されるため非接触現像方式をとるのが好都合である。
　感光体及び搬送手段、例えばレジストローラの速度切換はモータ自身の速度の切換えを行うように構成することもできるが、モータの速度は切換えず、クラッチ等の切換により減速量を切換える方法もある。
　第１図の例に対し、第３図に示すように感光体ドラム２に１回転毎に形成する各色のトナー像はすぐに中間転写体１６に中間転写器１７の作用下で転写し、中間転写体１６に複数の色のトナー像を重ね転写し、得られた多色像を給紙カセット６から給紙される転写材７に転写チャージャ１０の作用下で転写し、定着装置１２で定着する方式に変形することもできる。図では第１図の部材に一致するか対応する部材には同一符号を付す。
　第３図では感光体ドラム２は単色、多色モードのいずれの場合も高速度駆動され、中間転写体１６が、多色モードのときは、感光体ドラム２より全ての色のトナー像の転写が終った後低速度に切換えられ、低速度で搬送される転写材に転写する。中間転写体１６の上の全ての画像の転写が終わった後、中間転写体１６は高速度に切換えられる。転写材７の搬送速度は多色モードではレジストローラ９により搬送を開始してから定着装置１２により定着を終了し、搬送されるまでは低速度で駆動される。この例では中間転写体１６と転写材７の搬送手段のみが高速低速度に切換可能である。
　必要な場合は、中間転写体１６に巻付けた転写材に感光体ドラム２より直接顕像を転写するように構成することもできる。
　現像装置は第１図に示すように複数の色の現像部を持つ１つの現像装置として構成することも、第３図に示すように、色別の現像装置を並置する構造とすることもできる。
　〔効果〕
　本発明により、単色モードと多色モードとにより画像形成可能な画像形成装置でも多色モード選択のときに低速度で定着することができ、カラー画像を十分に定着させることができた。その際中間転写体、つまり転写材に顕像を転写する部材は転写材には低速度で転写できるように速度を切換えられるので、転写材は先端から低速度で搬送され、定着される。しかも中間転写体は転写終了後高速度に切換えられるので多色モードも高速処理が可能になり、転写材の転写位置から定着位置までの距離を短くすることが可能になり、小型の画像形成装置が得られた。
【図面の簡単な説明】
　第１図は本発明に係る画像形成装置の略図、第２図は作動タイムチャート、第３図は別の例の概略図である。
　２…潜像担持体　　３…帯電器
　４…書込み装置　　５…現像装置
　６…給紙カセット　７…転写材
１０…転写チャージャ
１１…定着装置